(57)【要約】【課題】  本提案に係る発明の課題は、インクリボンを巻き戻して使用する際に巻き戻し量が多くなると巻きムラ等によって印刷時に印刷皺が発生しやすくなる。その印刷皺を防ぐことことである。【解決手段】  ハーフサイズ分の未使用領域があるインクセットが存在する場合でも、カレントのインクセット番号とハーフサイズ分の未使用領域があるインクセット番号との差を算出する手段を有し、前記インクセット番号の差が所定値以上かどうかを判定する手段を有し、インクセット番号の差が所定値より大きくなる場合には、巻き戻しをしないでカレントのインクセットで印刷を実行する手段を有する。【選択図】  図６
2010269459.tif 000002
【特許請求の範囲】
【請求項１】
ロール紙タイプ昇華型プリンタ装置とインクリボンとロールタイプの用紙が一体となったカートリッジからなる印画システムであって、前記カートリッジにはインクリボンの未使用領域の情報を記憶する情報記憶手段と、前記ロールタイプリボンを巻き取りローラ側から供給ローラ側（逆方向）に巻き取る手段と、供給ローラー側への巻き取り量に制限を設けることを特徴とするロールタイプ昇華型プリンタシステム。
【請求項２】
請求項１記載のロール紙タイプ昇華型プリンタ装置とインクリボンとロールタイプの用紙が一体となったカートリッジからなる印画システムであって、供給ローラー側への巻き取り量が所定量以上になる場合には、巻き戻しによる未使用領域の印画ができなくなることを警告することを特徴としたロールタイプ昇華型プリンタシステム。
【請求項３】
請求項１記載のロール紙タイプ昇華型プリンタ装置とインクリボンとロールタイプの用紙が一体となったカートリッジからなる印画システムであって、前記印画システムは少なくとも二種類のサイズの印画物を生成することが可能で二種類のサイズの印画物のうち第一のサイズを有する印画物の長辺の長さは、インクリボンに塗布された染料の長さに等しく、第二のサイズを有する印画物の短辺の長さの２倍は、インクリボンに塗布された染料の長さに等しいことを特徴とするロールタイプ昇華型プリンタシステム。
【発明の詳細な説明】
【技術分野】
【０００１】
本発明は、ロール紙タイプ昇華型プリンタ装置とインクリボンとロールタイプの用紙が一体となったカートリッジからなる印画システムにおいて、少なくとも二種類のサイズの印画物を生成することが可能で前記二種類のサイズの印画物のうち第一のサイズの印画物の長辺の長さはインクリボンに塗布された染料の長さに略等しく、第二のサイズの印画物の短辺の長さの２倍はインクリボンに塗布された染料の長さに略等しい印画物生成手段であって、第二のサイズの印画物を奇数枚印画した時に残るインクリボンを有効的に利用する為のインクリボンの巻き戻し手段において、印画時に発生する印画皺の発生を防止する為にインクリボンの巻き戻し量を制限する印画システムの印画制御に関する。
【背景技術】
【０００２】
従来、ロール紙タイプ昇華型プリンタ装置とインクリボンとロールタイプの用紙が一体となったカートリッジからなる印画システムでは、一種類のサイズのロールタイプの用紙で少なくとも二種類の出来上がりサイズの印画物を生成することが可能である。その二種類のサイズのうち１つのサイズはインクリボンのイエロー、マゼンタ、シアンの染料が塗布された長さと印画物の出来上がりサイズの長辺の長さが等しく（以後、基本サイズと呼ぶ）、別のサイズはイエロー、マゼンタ、シアンの染料が塗布された長さと印画物の出来上がりサイズの短辺の長を２倍したものが等しい（以後、ハーフサイズと呼ぶ）。即ち、基本サイズ１枚分の用紙とインクリボンでハーフサイズ２枚分が印画可能である。
【０００３】
ここで、イエロー、マゼンタ、シアンの染料と樹脂からなるオーバーコートのセットをインクセットと呼ぶ。
【０００４】
このような印画システムにおいて、一回の印画でハーフサイズ印画を奇数枚分行った場合には、インクセットが半分残った状態になる。その残った半分のインクセットのインクリボンを有効に使用する為にインクリボンを巻き戻して使用する印画制御方法が提案されている。
【先行技術文献】
【特許文献】
【０００５】
【特許文献１】特開平６−１０６８０５号公報
【発明の概要】
【発明が解決しようとする課題】
【０００６】
しかしながら、従来例ではインクリボンを巻き戻して使用した結果、巻き戻し量が多くなるとリボンの巻きムラ等によって印画時に印画物に皺が発生すると言う問題点あった。
【０００７】
本発明では、インクリボンを巻き戻して使用する場合にも印画時の皺の無い画像を提供することを目的とする。
【課題を解決するための手段】
【０００８】
上記目的を達成するため本出願に係る発明は、ハーフサイズ分の未使用領域があるインクセットが存在する場合でも、カレントのインクセット番号とハーフサイズ分の未使用領域があるインクセット番号との差を算出する手段を有し、前記インクセット番号の差が所定値以上かどうかを判定する手段を有し、インクセット番号の差が所定値より大きくなる場合には、巻き戻しをしないでカレントのインクセットで印刷を実行する手段を有する。
【発明の効果】
【０００９】
以上説明したように、本発明によればインクセットにハーフサイズ分の未使用のインクリボンが残っている場合であっても巻き戻し量が所定値より多くなる場合には、巻き戻し動作を行わないでカレントのインクセットで印画を行うことで、インクリボンの巻き戻し量が多くなることによって起こる巻きムラ等を少なくすることによって、印画時に発生する可能性が高くなる印画皺を未然に防ぐ効果がある。
【図面の簡単な説明】
【００１０】
【図１】カメラダイレクト プリントシステムの構成を説明する図
【図２】実施例のダイレクト プリント・ストレージ装置のブロック図
【図３】昇華型印画方式の概要を説明する図
【図４】インクリボンの構成を説明する図
【図５】インクリボンの使用履歴リストを説明する図
【図６】本実施例の印刷フローを説明する図
【発明を実施するための形態】
【００１１】
（実施例１）
図１に本実施例のサーマルヘッド駆動制御方法を用いた昇華型プリンタで構成されるカメラダイレクト プリント システムの構成図を示す。
【００１２】
図１の１は光学的画像形成装置であるデジタルカメラ、２は、デジタル画像を印刷用紙に出力するダイレクト プリント装置。３は、デジタルカメラ１とダイレクト プリント装置２の間でデータをやり取りする為のケーブル、本実施例では、データ通信にＵＳＢプロトコルを用いているのでＵＳＢケーブルになる。
【００１３】
画像転送が実行されるとＵＳＢプロトコルに従ってデジタルカメラとダイレクト プリント装置がネゴシエーションを行い画像の転送が始まる。そのデータはＵＳＢケーブル３を通して通信される。
【００１４】
本実施例のダイレクトプリント装置についてもう少し説明する。
【００１５】
図１の４は、コンパクトフラッシュ（登録商標）メモリー（ＣＦ）、ＳＤメモリーカード（ＳＤ）、メモリースティック（ＭＳ）等のカード型記録媒体と画像データをやり取りする為の複合カードスロット。５は、本ダイレクト プリント装置の操作を行う為のグラフィカルユーザインターフェース（ＧＵＩ）を表示する為のＬＣＤモニタ。６は、本装置の電源スイッチ、７は、本装置の操作部材としての各種スイッチである。
【００１６】
次に本実施例のダイレクト プリント装置のブロック図を図２を用いて説明する。１０は本装置全体を制御したり、デジタル画像の処理を行ったり、ＵＳＢ通信の制御やＬＣＤの制御を行うためのＣＰＵ。１１は本装置を制御するためのプログラムやＬＣＤモニタ１７に表示するＧＵＩ用のアイコンデータや画像合成を行う為のフレームデータ等を格納するＦｌａｓｈ Ｍｅｍｏｒｙ。１２は、プログラム動作時や画像処理時に使用したりＬＣＤモニタに表示するデータを格納する為のワークメモリとしてのＳＤＲＡＭ。１３は、昇華プリンタ部分のサーマルヘッド及びＬＦモータ、ＵＤモータを制御する為のヘッド・モータ制御ＩＣ、１４は昇華プリンタの主要部品であるサーマルヘッド。サーマルヘッドには、発熱体が１２８０個一列に配列されている。１５は、ＬＦモータ、ＵＤモータを駆動するモータドライバー。１６は、ＬＣＤモニタ１７を駆動する為のＬＣＤドライバ。１７は、デジタル画像や本装置の操作を行う為のグラフィカルユーザーインターフェイス（ＧＵＩ）を表示する為のＬＣＤモニタ。１８はＵＳＢのプロトコルデータを振り分ける為のＵＳＢ ＨＵＢでカードメモリーコントローラとＵＳＢ Ａコネクターに接続されている。１９はＵＳＢインターフェイスを有するカードメモリコントローラーで複合カードスロットに接続されている。
【００１７】
図３に本実施例のデイレクトプリント装置の画像出力部分に用いている昇華型印画方式の基本原理を説明するための概略図を示す。昇華型印画方式は、染料（色素）の拡散現象を用いた方式である。図中３１は、３色（イエロー、マゼンタ、シアン）の染料をプラスチックシートに塗布したインクシートである。このインクシート３１は専用印刷用紙３２と重ね合わされた形で、サーマルヘッド３３とプラテンローラー３４によって挟支されこのインクシートをサーマルヘッド３３の熱により、専用印刷用紙３２に昇華／熱拡散させることにより、カラープリントを得る。
【００１８】
また、専用印刷用紙３２には、昇華性染料３５の発色を確保するために、ポリエステル系樹脂を主成分とした受容層３６が塗布されている。この時サーマルヘッド３３に与える熱を制御することにより階調を与えることができる。３色（イエロー、マゼンタ、シアン）それぞれに階調を与え、印画紙の同じ個所にプリントすることにより１画素単位の高精細フルカラープリントを実現できる。
【００１９】
図４を用いてインクリボンの構成に関して説明する。イエロー、マゼンタ、シアンの染料と樹脂からなるオーバーコートのセットをインクセット１００と呼ぶ。イエローの前にはインクセット１００の先頭を示す先頭マーカー１０１が黒い帯び２本で構成されている。マゼンタとシアン、オーバーコートの前にはそれぞれの色、オーバーコートの始まりを示す色間マーカー１０２が１本の帯びで構成されている。
【００２０】
基本サイズの印画１枚で、インクセット１セット分のリボンを使用する。ハーフサイズの印画では、イエロー、マゼンタ、シアン、オーバーコートとも半分が使用され残り半分は未使用部分となる。再度、ハーフサイズ印刷が行われた場合には、このハーフサイズ分の未使用領域を使用することで、インクリボンの無駄を発生させなくて済む。
【００２１】
次にインクリボンの使用履歴に関して図５を用いて説明する。図５は、不図示のカートリッジに取り付けられた記憶領域へのインクリボン使用履歴の保存方法を説明した図である。記憶領域にはインクセット番号毎に使用履歴を保存する領域が存在する。基本サイズ印刷を行ったインクセットとハーフサイズ印刷を２回行ったインクセットは“２”を記録する。ハーフサイズ印刷を１回のみ行ったインクセットには“１”を記録する。即ち“１”は、ハーフサイズ分の未使用のインクリボンが残っていることを示す。まったくの未使用で基本サイズ分のインクリボンが残っている場合には“０”が記録されている。
【００２２】
図６のフローチャートを用いてインクリボンの使用履歴に従って印刷を行う手順を説明する。
【００２３】
ユーザーからの印刷命令が基本サイズ印刷かハーフサイズ印刷かを判断する２０１。基本サイズ印刷の場合（２０１、Yes）、現在のインクリボンのカレント番号がチェックされ同時にハーフサイズ分のインクリボンの未使用領域が残っているのかをチェックする２０２。ハーフサイズ分のインクリボンが残っている場合には、インクリボンを順方向に巻上げインクセットの頭だしを行う２０３。次に、基本サイズ印刷を実行する２０４。その後、カートリッジのインクリボン使用履歴記憶領域に使用状況を記録する２０５。
【００２４】
基本サイズ印刷で、カレントのインクセットにハーフサイズ分の未使用領域が残っていない場合(２０２、No)即ち、基本サイズ分のインクリボンが残っている場合には、カレントのインクセットを使って印刷を行う２０４。その後、カートリッジのインクリボン使用履歴記憶領域に使用状況を記録する２０５。
【００２５】
ユーザーからの印刷命令がハーフサイズ印刷の場合（２０１、No）、現在のインクリボンのカレント番号がチェックされ同時にハーフサイズ分のインクリボンの未使用領域が残っているのかをチェックする２０６。カレントのインクセットにハーフサイズ分の未使用領域が残っている場合（２０６、Yes）には、そのまま、ハーフサイズ印刷を実行する２１０。その後、カートリッジのインクリボン使用履歴記憶領域に使用状況を記録する２０５。
【００２６】
ハーフサイズ印刷（２０１、No）で、カレントのインクセットにハーフサイズ分の未使用領域が残っていない場合（２０６、No）には、ハーフサイズ分残っているインクセットを検索する２０７。検索によってハーフサイズ分の未使用領域があると見つかったインクセットの番号とカレントのインクセットの番号を比較しカレントからＮセット（Ｎは整数）以上前（２０８、Yes）であれば、そのままカレントのインクリボンでハーフサイズ印刷を実行する２１０。Ｎセット以上分の巻き戻しを行わないことで、印画時に発生する印画皺を防止することが可能になる。カレントからＮセットより少なければ（２０８、No）インクリボンを巻き戻しハーフサイズ分インクリボンが残っているインクセットの頭だしを行う２０９。次に、ハーフサイズ印刷を実行し２１０。最後に、カートリッジのインクリボン使用履歴記憶領域に使用状況を記録する２０５。
【００２７】
更に、ハーフサイズ印刷分の未使用領域がカレントインクセットより前に存在する場合には、印刷命令の度にハーフサイズ分の未使用領域が存在するインクセットの番号とカレントインクセットの番号を比較し、その差が所定値以上になった場合には、ユーザーにハーフサイズ分のインクリボンが無駄になると言うことを警告する。
【００２８】
以上説明したように、本実施例では、ハーフサイズ分の未使用領域があるインクセットが存在する場合でも、カレントのインクセットから所定枚数分の巻き戻しが必要な場合には、インクリボンの巻き戻しを実行せずカレントのインクセットで印画を行うことで、巻き戻しによって発生しやすくなる印画時の印画物への皺の発生を未然に防ぐことが可能となる。
【符号の説明】
【００２９】
１  デジタルカメラ
２  ダイレクト プリント・ストレージ装置
３  ＵＳＢケーブル
４  複合カードスロット
５  ＬＣＤモニタ
６  電源スイッチ
７  各種スイッチ
１０  ＣＰＵ
１１  Ｆｌａｓｈ Ｍｅｍｏｅｒｙ
１２  ＳＤＲＡＭ
１３  ヘッド・モータ制御ＩＣ
１４  サーマルヘッド
１５  モータドライバ
１６  ＬＣＤドライバ
１７  ＬＣＤモニタ
１８  ＵＳＢ ＨＵＢ
１９  カードメモリコントローラ
３１  インクシート
３２  専用印刷用紙
３３  サーマルヘッド
３４  プラテンローラ
３５  昇華性染料
３６  受容層
【図１】
2010269459.tif 000003
【図２】
2010269459.tif 000004
【図３】
2010269459.tif 000005
【図４】
2010269459.tif 000006
【図５】
2010269459.tif 000007
【図６】
2010269459.tif 000008